(57)【特許請求の範囲】
【請求項１】
指針を取り付けるための軸部及び歯車部を有する筒車と、この筒車の前記軸部が貫通する孔部を有する針座を備えた指針表示式時計において、
前記筒車の一部に前記針座の軸方向への移動を規制するための規制部材として、前記軸部から外周方向に突出した一つ以上の凸部を設け、かつ、前記凸部を、前記軸部の前記歯車部上面から離間した位置に形成し、前記針座が前記凸部を乗り越えて前記凸部と前記歯車部の間の前記軸部において遊合するようにしたことを特徴とする指針表示式時計。
【請求項２】
前記凸部が、前記軸部の指針取付け位置より下方に設けられていることを特徴とする請求項１記載の指針表示式時計。
【請求項３】
前記凸部の上部にテーパ部が形成されていることを特徴とする請求項１又は２記載の指針表示式時計。
【請求項４】
前記凸部を、三個以上の奇数個設け、これらを等間隔に配設したことを特徴とする請求項１〜３のいずれかに記載の指針表示式時計。
【請求項５】
前記針座の孔部の内径を、前記軸部の外径よりも大きく、かつ、前記凸部の仮想円の直径よりも小さく構成したことを特徴とする請求項１〜４のいずれかに指針表示式時計。
【請求項６】
前記凸部が、前記軸部表面から突出した第一凸部と、該第一凸部表面からさらに突出した第二凸部を有することを特徴とする請求項１〜５のいずれかに記載の指針表示式時計。
【請求項７】
前記第一凸部と第二凸部が、前記軸部の指針取付け位置より下方に設けられていることを特徴とする請求項６記載の指針表示式時計。
【請求項８】
前記第一凸部及び／又は第二凸部の上部にテーパ部が形成されていることを特徴とする請求項６又は７記載の指針表示式時計。
【請求項９】
前記第二凸部の下部に、斜面部を有することを特徴とする請求項６〜８のいずれかに記載の指針表示式時計。
【請求項１０】
前記針座の孔部の内径を、前記第一凸部の仮想円の径より大きく、かつ、前記第二凸部の仮想円の径よりも小さくしたことを特徴とする請求項６〜９のいずれかに記載の指針表示式時計。
【請求項１１】
指針を取り付けるための軸部及び歯車部を有する筒車と、この筒車の前記軸部が貫通する孔部を有する針座を備えた指針表示式時計において、
前記筒車の一部に前記針座の軸方向への移動を規制するための凸部よりなる規制部材を設け、
該凸部が、前記軸部表面から突出した第一凸部と、該第一凸部表面からさらに突出した第二凸部を有し、前記第一凸部が、前記第二凸部の下面から前記歯車部面上にかけて形成されていることを特徴とする指針表示式時計。
【請求項１２】
前記筒車が樹脂製である請求項１〜１１のいずれかに記載の指針表示式時計。
【請求項１３】
前記針座が金属製である請求項１〜１２のいずれかに記載の指針表示式時計。
【発明の詳細な説明】
【技術分野】
【０００１】
本発明は、指針表示式時計に関し、特に、針座の軸方向への移動を規制する規制部材を、筒車の軸部の一部に設けることにより、針座が軸部から外れないようにした指針表示式時計に関する。
【背景技術】
【０００２】
近年、指針表示式腕時計は、組立機械が自動的に組立を行うことにより製造されるようになってきた。また、上記自動組立により、時計ムーブメントの製造原価が低減されたことによって、時計業界では、時計ムーブメントだけの販売が盛んに行われるようになってきた。時計ムーブメントとしては、図９にその一部を示すが、たとえば、特許文献１の図１及び図３に示すものなどがある。【０００３】
（第一従来例）
図９は、第一従来例にかかる時計ムーブメントを説明するための要部の概略断面図を示している。
同図において、時計ムーブメント１００は、歯車部１１１と軸部１１２が一体成形された樹脂製の筒車１１０と、軸部１１２に挿入されさらに文字板１３０が取り付けられると、筒車１１０の歯車部１１１を地板１４０側に付勢して、軸部１１２の傾きを防止する針座１２０を備えた構成としてある（たとえば、特許文献１参照）。
なお、時計ムーブメント１００は、図示してないが、時針が前記筒車１１０の軸部１１２に取り付けられ、分針が二番車１６０に取り付けられ、秒針が四番車１５０に取り付けられる。【０００４】
図１０は、第一従来例にかかる時計ムーブメントの針座を説明するための概略図であり、（ａ）は平面図を、（ｂ）はＸ−Ｘ断面図を示している。
同図において、針座１２０は、金属等の弾性体からなる円環状の平板を、任意の直径線部分１２１を底部として湾曲させた構造としてある。この針座１２０は、円孔１２３を軸部１１２に挿入したとき、上記底部が歯車部１１１と当接し、最も上方に位置する外周縁部１２２が文字板１３０と当接する。そして、外周縁部１２２が文字板１３０によって押下された際の復元力によって、歯車部１１１が地板１４０側に付勢される。【０００５】
図１１は、第一従来例にかかる時計ムーブメントにおいて、軸部に針座を挿入した状態を説明するための概略断面図を示している。
同図において、針座１２０は、軸部１１２に挿入されている。ここで、針座１２０の円孔１２３の内径ｄは、軸部１１２の外径Ｄより大きいので、針座１２０は軸部１１２にスムースに挿入されるため、軸部１１２の外周面に擦り傷を付けるといった不具合は発生しないが、容易に外れてしまうといった欠点を有する。【０００６】
時計ムーブメント１００は、図９に示すように組み立てられると、針座１２０の復元力によって、歯車部１１１が地板１４０に押し付けられ、軸部１１２の傾きを防止することができるので、軸部１１２の先端に取り付けられる時針（図示せず）のあおりによる文字板又は分針との接触を防止することができ、時計を薄型化することができる。【０００７】
ところで、時計ムーブメントのみを販売あるいは搬送するときに、時計ムーブメント部品が脱落すると、後工程の作業に不要な手間を生じてしまうこととなる。そのため、筒車と針座を時計ムーブメントに組み込まずに、それぞれを別個に包装するという、別送の方法がとられていたが、ケーシングする際、組み込むことが必要となり、生産効率が悪かった。また、時計の組立工程において時計ムーブメントを搬送するときにも、筒車や針座が脱落しないようにする必要がある。
このため、筒車と針座とを時計ムーブメントから取り外してそれぞれを別個に包装し、これを時計ムーブメントに添付して運搬する方法などが、採用されていたが、この方法では、自動組立可能な部品を別々に搬送しなければならず、生産効率が悪かった。そこで、筒車や針座などを脱落させない様々な技術が開発され、たとえば、図１２に示すものなどがある。【０００８】
（第二従来例）
図１２は、第二従来例にかかる時計ムーブメントを説明するための要部の概略図であり、（ａ）は平面図を、（ｂ）は側面図を示している。
同図において、時計ムーブメント２００は、車軸部２１２が突設された樹脂製の筒車２１０と、車軸部２１２をくわえ込んで固定する、中央穴２２１の内周部に設けられた突起部２２２を有する針座２２０を備えた構成としてある（たとえば、特許文献２参照）。このようにすると、搬送工程や組立工程において、針座２２０が車軸部２１２から外れてしまうといった不具合を回避することができる。また、この針座２２０は、筒車２１０の先端に取り付けられる指針（図示せず）のあおりを防止することができ、時計を薄型化することができる。
【特許文献１】特開２００１−７４８５７号公報
【特許文献２】特開２００２−２０７０８６号公報
【発明の開示】
【発明が解決しようとする課題】
【０００９】
しかしながら、第二従来例にかかる時計ムーブメント２００は、針座２２０を取り付ける際、針座２２０の突起部２２２が車軸部２１２の外周面を擦りながら降下するので、車軸部２１２の表面に擦り傷が付くといった問題があった。すなわち、擦り傷が付くということは、ばりや削りかすが発生する可能性があり、このような異物が時計内部に存在することは、品質管理の観点からすると極めて深刻な問題であった。すなわち、微量な異物であっても、時計が止まる原因となることから、異物の発生を防止する必要があった。【００１０】
また、たとえば、第二従来例の針座２２０が、第一従来例の、時針を取り付ける筒車１１０の軸部１１２に挿入される場合を想定すると、時針（図示せず）が装入される軸部１１２の先端部に、擦り傷が付けられるので、時針の固定力が低下するといった問題があった。
さらに、金属製の薄板からなる針座２２０に微細な突起部２２２を形成する加工は、一般的に、極めて困難であり、要求される突起部２２２の精度を維持することができないといった問題があった。【００１１】
さらに、円孔１２３の内径ｄを軸部１１２の外径Ｄより小さくして、締り嵌めの状態で針座１２０を取り付けると、針座１２０のそり上り（湾曲状態）が阻害され、針座１２０のばね力（復元力）がばらつき、筒車１１０の軸方向の移動を安定して抑制できなくなり、針振れを軽減することができなくなるといった問題があった。【００１２】
本発明は、以上のような従来の技術が有する問題を解決するために提案されたものであり、文字板を取り付ける前に針座の脱落を防止するとともに、異物の発生を抑制し、かつ、指針を確実に固定することができ、さらに、針座のばね力がばらつき、針振れを軽減することができなくなるといった不具合を回避することのできる指針表示式時計の提供を目的とする。
【課題を解決するための手段】
【００１３】
上記目的を達成するため、本発明の指針表示式時計は、指針を取り付けるための軸部及び歯車部を有する筒車と、この筒車の前記軸部が貫通する孔部を有する針座を備えた指針表示式時計において、前記筒車の一部に前記針座の軸方向への移動を規制するための規制部材を設けた構成としてある。
このようにすると、規制部材によって、針座の軸方向への移動を阻止するので、筒車からの針座の脱落を防止することができる。
なお、針座とは、軸部に挿入され、さらに文字板が取り付けられると、筒車の歯車部を地板側に付勢して、軸部の傾きを防止する、腕時計に用いられるばね座金をいう。【００１４】
また、本発明は、前記規制部材が、前記軸部から外周方向に突出した一つ以上の凸部である。
このようにすると、凸部を用いて、針座を効率よく規制することができる。【００１５】
また、本発明は、前記凸部が、前記筒車の歯車部面上から前記軸部の軸方向上方にかけて設けられており、さらに、該凸部が、前記針座の孔部と係合する構成としてある。
このようにすると、凸部が、針座の孔部と係合させるだけの簡単な構成で、針座の脱落を防止することができる。【００１６】
また、本発明は、前記凸部が、前記軸部の指針取付け位置より下方に設けられている構成としてある。
このようにすると、指針を取り付ける際、凸部が指針取付けの邪魔にならず、また、指針が規制部材と擦れて異物を発生させるといった不具合を回避することができる。【００１７】
また、本発明は、前記凸部の上部にテーパ部が形成されている構成としてある。
このようにすると、針座をスムースに嵌入させることができる。【００１８】
また、本発明は、前記針座の孔部の内径が、前記軸部の指針取付け部の外形よりも大きく、かつ、前記凸部の仮想円の直径よりも小さい構成としてある。
このようにすると、針座の筒車への装着を容易に行えるとともに、規制部材による、針座の固定を確実に行うことができる。【００１９】
また、本発明は、前記凸部を、三個以上の奇数個設け、これらを等間隔に配設した構成としてある。
このように、規制部材を三個以上の奇数個とし、これらを等間隔に配設すると、規制部材どうしが１８０度対向した位置に設けられることがないので、筒車への針座の組み込みを容易にする。さらに、針座のそり上りを阻害しないので、針座のばね力のばらつきを低減し、筒車の軸方向の移動を抑制して針振れを軽減することができる【００２０】
また、本発明は、前記凸部が、前記軸部の前記歯車部上面から離間した位置に形成されている構成としてある。
このようにすると、針座のそり上りを阻害しないので、針座のばね力のばらつきを抑制することができる。【００２１】
また、本発明は、前記針座の孔部の内径が、前記軸部の外形より大きく、かつ、前記凸部の仮想円の径よりも小さく構成することで、前記針座が前記凸部を乗り越えて、前記凸部と前記歯車部の間の前記軸部に遊合している構成としてある。
このようにすると、針座が軸部に遊合しており、針座のそり上りを阻害しないので、針座のばね力のばらつきが発生せず、筒車の軸方向の移動を確実に抑制して針振れを軽減することができる。【００２２】
また、本発明は、前記凸部が、前記軸部表面から突出した第一凸部と、該第一凸部表面からさら突出した第二凸部を有する構成としてある。
このようにすると、針座を軸部に挿入する際、凸部を含まない軸部と針座の孔部の隙間を大きくすることができるので、針座をスムースに軸部に挿入することができる。【００２３】
また、本発明は、前記第一凸部と第二凸部が、前記軸部の指針取付け位置より下方に設けられている構成としてある。
このようにすると、指針を取り付ける際、第一凸部や第二凸部が指針取付けの邪魔にならず、また、指針が規制部材と擦れて異物を発生させるといった不具合を回避することができる。【００２４】
また、本発明は、前記第一凸部及び／又は第二凸部の上部にテーパ部が形成されている構成としてある。
このようにすると、針座をスムースに装入させることができる。【００２５】
また、本発明は、前記第二凸部の下部に、斜面部を有する構成としてある。
このようにすると、成型金型に対する成形性を向上させることができる。【００２６】
また、本発明は、前記針座の孔部の内径を、前記第一凸部の仮想円の径より大きく、かつ、前記第二凸部の仮想円の径よりも小さくした構成としてある。
このようにすると、針座の筒車への装着を容易に行えるとともに、規制部材による、針座の固定を確実に行うことができる。【００２７】
また、本発明は、前記第一凸部及び第二凸部を、三個以上の奇数個設け、これらを等間隔に配設した構成としてある。
このように、規制部材を三個以上の奇数個とし、これらを等間隔に配設すると、規制部材どうしが１８０度対向した位置に設けられることがないので、筒車への針座の組み込みを容易にする。さらに、針座のそり上りを阻害しないので、針座のばね力のばらつきを低減し、筒車の軸方向の移動を抑制して針振れを軽減することができる【００２８】
また、本発明は、前記規制部材が、前記筒車の歯車部上面に設けられたフックであって、このフックによって前記針座の一部を係止する構成としてある。
このように、規制部材をフックとすることによっても、針座の筒車への装着を容易に行えるとともに、規制部材による、針座の固定を確実に行うことができる。【００２９】
また、本発明は、前記フックを、前記軸部を挟んで対向する少なくとも二箇所に設けた構成としてある。
このようにすると、軸部を挟んで対向する少なくとも二箇所におけるフックとの係止だけで針座を固定することができる。【００３０】
また、本発明は、前記フックに、前記針座の外周の一部を係止する構成としてある。
このようにすると、針座の外周を容易に係止することができる。【００３１】
また、本発明は、前記針座を、任意の直径線部分を底部として湾曲させるとともに、前記底部と外周の交差する位置を前記フックで係止した構成としてある。
このように、針座を湾曲させると、針座に大きなばね性を持たせることができ、かつ、湾曲した曲面の底部において針座を固定することができるので、針座の固定も堅固なものとなる。さらに、針座のそり上りを阻害しないので、針座のばね力のばらつきを低減し、筒車の軸方向の移動を抑制して針振れを軽減することができる。【００３２】
また、本発明は、前記規制部材が、前記筒車の歯車部上面に設けられた粘着部材であって、この粘着部材に前記針座を固定する構成としてある。
このように、規制部材を粘着部材とすると、針座を筒車に取り付け粘着部材に押し付けるだけで、固定することが可能となる。【００３３】
また、本発明は、前記粘着部材を、前記軸部を挟んで対向する少なくとも二箇所に設けた構成としてある。
このようにすると、軸部を挟んで対向する少なくとも二箇所における粘着部材との接着力だけで針座を固定することができる。【００３４】
また、本発明は、前記針座を、任意の直径線部分を底部として湾曲させるとともに、前記底部の二箇所を前記粘着部材に当接させた構成としてある。
このように、針座を湾曲させると、針座に大きなばね性を持たせることができ、かつ、湾曲した曲面の底部において針座を固定することができるので、針座の固定も堅固なものとなる。さらに、針座のそり上りを阻害しないので、針座のばね力のばらつきを低減し、筒車の軸方向の移動を抑制して針振れを軽減することができる。【００３５】
また、本発明は、前記筒車を樹脂製としてあり、このようにすることにより、筒車に規制部材を容易に加工することができる。【００３６】
また、本発明は、前記針座を金属製としてあり、このように、針座を金属製とすると、針座が十分なばね性を有することができる。また、温度や湿度などの環境が変化しても、ばね性のばらつきが少ない。たとえば、針座を樹脂製とすると、ばね力が減少し、元に戻らなくなる場合があり、このような不具合を回避することができる。【００３７】
また、上記目的を達成するため、本発明の指針表示式時計は、指針を取り付けるための軸部及び歯車部を有する筒車と、この筒車の前記軸部が貫通する孔部を有する針座を備えた指針表示式時計において、前記筒車の一部に前記針座の軸方向への移動を規制するための凸部よりなる規制部材を設け、該凸部が、前記軸部表面から突出した第一凸部と、該第一凸部表面からさらに突出した第二凸部を有し、前記第一凸部が、前記第二凸部の下面から前記歯車部面上にかけて形成されている構成としてある。
このようにすると、規制部材によって、針座の軸方向への移動を阻止するので、筒車からの針座の脱落を防止することができる。また、針座を軸部に挿入する際、凸部を含まない軸部と針座の孔部の隙間を大きくすることができるので、針座をスムースに軸部に挿入することができる。【００３８】
また、本発明は、前記針座の孔部の内径を、前記第一凸部の仮想円の径より大きく、かつ、前記第二凸部の仮想円の径よりも小さくした構成としてある。
このようにすると、針座の筒車への装着を容易に行えるとともに、規制部材による、針座の固定を確実に行うことができる。【００３９】
また、本発明は、前記第一凸部及び／又は第二凸部の上部にテーパ部が形成され、さらに、前記第二凸部の下部に、斜面部を有する構成としてある。
このようにすると、針座を凸部にスムースに挿入することができ、針座の取付け及び取外しを容易に行うことができる。また、成型金型に対する成形性を向上させることができる。
【発明の効果】
【００４０】
本発明の指針表示式時計よれば、文字板を取り付ける前に針座の脱落を防止するとともに、異物の発生を抑制し、かつ、指針取付け位置に損傷を与えることなく、指針を確実に固定することができ、さらに、針座のばね力がばらつき、針振れを軽減することができなくなるといった不具合を回避することができる。
【図面の簡単な説明】
【００４１】
【図１】本発明の第一実施形態にかかる指針表示式時計の要部の概略図であり、（ａ）は平面図を、（ｂ）はＡ−Ａ断面図を示している。
【図２】本発明の第一実施形態にかかる指針表示式時計の針座を説明するための概略拡大平面図を示している。
【図３】本発明の第一実施形態の応用例にかかる指針表示式時計の要部の概略図であり、（ａ）は平面図を、（ｂ）はＢ−Ｂ断面図を示している。
【図４】本発明の第二実施形態にかかる指針表示式時計の要部の概略図であり、（ａ）は平面図を、（ｂ）はＣ−Ｃ断面図を示している。
【図５】本発明の第三実施形態にかかる指針表示式時計の要部の概略図であり、（ａ）は平面図を、（ｂ）はＤ−Ｄ断面図を示している。
【図６】本発明の第四実施形態にかかる指針表示式時計の要部の概略図であり、（ａ）は平面図を、（ｂ）はＥ−Ｅ断面図を示している。
【図７】本発明の第五実施形態にかかる指針表示式時計の要部の概略図であり、（ａ）は平面図を、（ｂ）はＦ−Ｆ断面図を示している。
【図８】本発明の第五実施形態にかかる指針表示式時計の、凸部と針座の円孔との関係を説明するための概略拡大平面図を示している。
【図９】第一従来例にかかる時計ムーブメントを説明するための要部の概略断面図を示している。
【図１０】第一従来例にかかる時計ムーブメントの針座を説明するための概略図であり、（ａ）は平面図を、（ｂ）はＸ−Ｘ断面図を示している。
【図１１】第一従来例にかかる時計ムーブメントにおいて、軸部に針座を挿入した状態を説明するための概略断面図を示している。
【図１２】第二従来例にかかる時計ムーブメントを説明するための要部の概略図であり、（ａ）は平面図を、（ｂ）は側面図を示している。
【符号の説明】
【００４２】
１１、１１´  凸部
１１ａ  第一凸部
１１ｂ  第二凸部
１３、１３´，１３ａ  テーパ面
１３ｂ  斜面部
１４  軸方向中央
１５，１５ａ，１５ｂ  仮想円
１６  フック
１７  粘着部材
１００  時計ムーブメント
１１０  筒車
１１１  歯車部
１１２，１１２ａ  軸部
１１３  根元部分
１２０  針座
１２１  直径線部分
１２２  外周縁部
１２３  円孔
１３０  文字板
１４０  地板
１５０  四番車
１６０  二番車
２００  時計ムーブメント
２１２  車軸部
２１０  筒車
２２０  針座
２２１  中央穴
２２２  突起部
【発明を実施するための最良の形態】
【００４３】
［第一実施形態］
以下、本発明の第一実施形態について、図面を参照して説明する。
図１は、本発明の第一実施形態にかかる指針表示式時計の要部の概略図であり、（ａ）は平面図を、（ｂ）はＡ−Ａ断面図を示している。
同図において、本実施形態の指針表示式時計は、第一従来例の指針表示式時計と比較して、筒車１１０の一部（本実施形態では、軸部１１２の根元部分１１３）に、規制部材としての凸部１１を設けた点が相違する。他の構成要素は、ほぼ第一従来例と同様としてある。
したがって、図１において、図９，１０，１１と同様の構成部分については同一の符号を付して、その詳細な説明を省略する。【００４４】
凸部１１は、軸部１１２から外周方向に突出したほぼ半円状としてあり、針座１２０の円孔１２３と係合する。ここで、係合するとは、針座１２０が容易に軸部１１２から外れないように、凸部１１に嵌入されることをいい、通常、締り嵌め又は隙間嵌めの状態で嵌入される。このようにすると、凸部１１は、軸方向への移動を規制するための規制部材として機能し、通常の（従来の）針座１２０形状の円孔１２３と係合させるだけで、針座１２０の軸方向への移動を規制することができ、筒車１１０からの針座１２０の脱落を防止することができる。【００４５】
ここで、好ましくは、凸部１１の上部に、テーパ部としてのテーパ面１３を形成するとよく、このようにすると、針座１２０をスムースに嵌入することができる。また、針座１２０をスムースに嵌入することにより、ばりや削りかすなどの異物の発生を抑制することができる。
また、筒車１１０は樹脂製としてあり、このようにすることにより、凸部１１を有する筒車１１０であっても、精度よくかつ容易に加工することができる。
なお、本実施形態の凸部１１は、二つ割りされた円筒状としてあるが、この形状に限定されるものではない。また、凸部１１の高さは、針座１２０の係合に必要な高さ、たとえば、針座１２０の板厚の数倍（２〜６倍）の高さがあればよく、必要以上に高くしないことにより、異物の発生を抑制することができる。【００４６】
凸部１１は、軸部１１２の指針取付け位置（通常、軸部１１２の先端部）より下方に、すなわち、指針（図示せず）と干渉しない位置に設けられているので、指針を取り付ける際、指針が凸部１１と擦れて異物を発生させるといった不具合を回避することができる。さらに、本実施形態では、凸部１１が、筒車１１０の歯車部１１１の面上から軸部１１２の軸方向上方にかけて設けられており、針座１２０が通常位置する、筒車１１０の軸部１１２の根元部分１１３において、針座１２０を固定することができる。
また、凸部１１は、軸部１１２の軸方向中央１４より歯車部１１１の面側に設けてあるので、筒車１１０に時針（図示せず）を組み込む際、凸部１１が、時針取り付けの邪魔になることがなく、時針を確実かつ容易に筒車に取り付けることができる。【００４７】
凸部１１は、軸部１１２の周方向に等間隔に三個配設してある。このように、凸部１１を三個以上の奇数個とし、これらを等間隔に配設すると、凸部１１どうしが１８０度対向した位置に設けられることがないので、円孔１２３と直径線部分１２１が交差する二点Ｄ１，Ｄ２が凸部１１と同時に係合することはない。たとえば、図示してないが、二点Ｄ１，Ｄ２が凸部１１と係合すると、直径線部分１２１方向に針座１２０が突っ張った状態となり、針座１２０のそり上り（湾曲状態）が阻害され、筒車１１０の軸方向の移動を安定して抑制できなくなり、針振れを軽減することができなくなる。すなわち、本実施形態では、凸部１１を軸部１１２の周方向に等間隔に三個配設することにより、針座のそり上りをほぼ正常に維持し、針座１２０のばね力のばらつきを低減し、筒車１１０の軸方向の移動を抑制して針振れを軽減することができる。また、針座１２０を組み込む際、二点Ｄ１，Ｄ２が凸部１１と同時に係合することはないので、凸部１１との位置関係に注意して作業しなくてもすみ、筒車１１０への針座１２０の組み込みを容易に行うことができる。
なお、本実施形態では、凸部１１を三個配設した構成としてあるが、三個以上の奇数個設け、これらを等間隔に配設した構成としてもよい。【００４８】
図２は、本発明の第一実施形態にかかる指針表示式時計の針座を説明するための概略拡大平面図を示している。
同図において、針座１２０は、円孔１２３の内径が、軸部１１２の外径よりも大きく、かつ、三個の凸部１１と円孔１２３が当接する位置を通る仮想円１５の直径よりも小さい構成としてある。このようにすると、針座１２０の筒車１１０への装着を容易に行えるとともに、凸部１１による、針座１２０の固定を確実に行うことができる。
なお、本実施形態では、指針取付け部が、ほぼ円筒状の軸部１１２の先端部としてあるので、円孔１２３の内径を軸部１１２の外径よりも大きくしてあるが、指針取付け部が、たとえば、円筒状でない形状の場合、円孔１２３の内径を軸部１１２の指針取付け部の外形よりも大きくするとよい。【００４９】
また、針座１２０は、円孔１２３の内径が軸部１１２の外径よりも大きいので、挿入する際、軸部１１２の指針取付け位置に擦り傷を付けるといった不具合が発生せず、正規の固定力で時針を固定することができる。
さらに、凸部１１によって係合された針座１２０は、中心点（図示せず）が筒車１１０の中心点（図示せず）と一致するので、針座１２０が軸部１１２に対して偏心したり、位置が定まらず移動したりせず、外周縁部１２２と文字板１３０が安定した状態で摺動するので、磨耗粉等の異物が発生する危険性を低減することができる。【００５０】
ここで、好ましくは、針座１２０を金属製とするとよく、このようにすると、針座１２０が十分なばね性を有することができる。また、金属製の針座１２０は、温度や湿度などの環境が変化しても、ばね性のばらつきが少ないといった利点を有している。ちなみに、たとえば針座１２０を樹脂製とすると、ばね力が減少し、元に戻らなくなる場合があり、このような不具合を回避することができる。【００５１】
上記構成の指針表示式時計によれば、文字板１３０を取り付ける前に針座１２０の脱落を防止するとともに、異物の発生を抑制し、かつ、指針取付け位置に損傷を与えることなく、指針を確実に固定することができ、さらに、針座１２０のばね力がばらつき、針振れを軽減することができなくなるといった不具合を回避することができる。【００５２】
なお、上記実施形態では、規制部材としての凸部１１を三箇所に設ける構成としてあるが、本発明は、この構成に限定されるものではない。たとえば、図３に示すように、凸部１１を一つ設ける構成としてもよい。このようにすると、凸部１１及び凸部１１と対向する側の軸部１１２が針座１２０の円孔１２３と係合し、簡単な構成で針座１２０の脱落を防止することができる。また、針座１２０を軸部１１２に挿入する際、針座１２０が凸部１１と当接するまで、スムースに針座１２０を挿入できるので、異物の発生を抑制し、かつ、指針取付け位置に損傷を与えることなく、指針を確実に固定することができる。【００５３】
［第二実施形態］
以下、本発明の第二実施形態について、図面を参照して説明する。
図４は、本発明の第二実施形態にかかる指針表示式時計の要部の概略図であり、（ａ）は平面図を、（ｂ）はＣ−Ｃ断面図を示している。
同図において、本実施形態の指針表示式時計は、第一従来例の指針表示式時計と比較して、筒車１１０の歯車部１１１の上面に、針座１２０を係止する一対のフック１６を、設けた点が相違する。他の構成要素は、ほぼ第一従来例と同様としてある。
したがって、図４において、図９，１０，１１と同様の構成部分については同一の符号を付して、その詳細な説明を省略する。【００５４】
フック１６は、針座１２０の軸方向への移動を規制するための規制部材であり、針座１２０の直径線部分１２１方向の外周を係止する。このように、規制部材をフック１６とすることによっても、針座１２０の筒車１１０への装着を容易に行えるとともに、フック１６による、針座１２０の固定を確実に行うことができる。
また、フック１６は、軸部１１２を挟んで対向する二箇所に設けられており、このようにすると、二箇所のフック１６に係止することによって、針座１２０を固定することができる。【００５５】
針座１２０は、上述したように、任意の直径線部分１２１を底部として湾曲させた構造としてあり、底部と外周の交差する位置をフック１６で係止してある。このように、針座１２０を湾曲させると、針座１２０に大きなばね性を持たせることができ、かつ、湾曲した曲面の底部において針座１２０を固定することができるので、針座１２０の固定も堅固なものとなる。さらに、針座１２０のそり上りを阻害しないので、針座１２０のばね力のばらつきを低減し、筒車１１０の軸方向の移動を抑制して針振れを軽減することができる。【００５６】
このように、本実施形態の指針表示式時計によれば、筒車１１０の歯車部１１１の上面にフック１６を設けることにより、針座１２０の脱落を防止することができる。また、異物の発生を抑制し、かつ、指針取付け位置に損傷を与えることなく、指針を確実に固定することができる。さらに、針座１２０のばね力がばらつき、針振れを軽減することができなくなるといった不具合を回避することができる。【００５７】
［第三実施形態］
以下、本発明の第三実施形態について、図面を参照して説明する。
図５は、本発明の第三実施形態にかかる指針表示式時計の要部の概略図であり、（ａ）は平面図を、（ｂ）はＤ−Ｄ断面図を示している。
同図において、本実施形態の指針表示式時計は、第二実施形態の指針表示式時計と比較して、フック１６の代わりに粘着部材１７を用いた点が相違する。他の構成要素は、ほぼ第二実施形態と同様としてある。
したがって、図５において、図４と同様の構成部分については同一の符号を付して、その詳細な説明を省略する。【００５８】
粘着部材１７は、針座１２０の軸方向への移動を規制するための規制部材であり、針座１２０の直径線部分１２１を歯車部１１１の上面に固定する。このように、規制部材を粘着部材１７とすることによっても、筒車１１０の歯車部１１１上面に設けられた粘着部材１７に針座１２０を押し付けるだけで、針座１２０を容易に固定することができる。
また、粘着部材１７は、軸部１１２を挟んで対向する二箇所に設けられており、このようにすると、軸部１１２を挟んで対向する二箇所における粘着部材１７との接着力だけで針座１２０を固定することができる。【００５９】
針座１２０は、上述したように、任意の直径線部分１２１を底部として湾曲させた構造としてあり、軸部１１２を挟んで対向する底部の二箇所を粘着部材１７に当接させて固定してある。このように、針座１２０を湾曲させると、針座１２０に大きなばね性を持たせることができ、かつ、湾曲した曲面の底部において針座１２０を固定することができるので、針座１２０の固定も堅固なものとなる。さらに、針座１２０のそり上りを阻害しないので、針座１２０のばね力のばらつきを低減し、筒車１１０の軸方向の移動を抑制して針振れを軽減することができる。【００６０】
このように、本実施形態の指針表示式時計によれば、筒車１１０の歯車部１１１の上面に粘着部材１７を設けることにより、針座１２０の脱落を防止することができる。また、異物の発生を抑制し、かつ、指針取付け位置に損傷を与えることなく、指針を確実に固定することができる。さらに、針座１２０のばね力がばらつき、針振れを軽減することができなくなるといった不具合を回避することができる。【００６１】
［第四実施形態］
以下、本発明の第四実施形態について、図面を参照して説明する。
図６は、本発明の第四実施形態にかかる指針表示式時計の要部の概略図であり、（ａ）は平面図を、（ｂ）はＥ−Ｅ断面図を示している。
同図において、本実施形態の指針表示式時計は、第一実施形態の指針表示式時計と比較して、凸部１１の代わりに、凸部１１´が軸部１１２の歯車部１１１の上面から離間した位置に形成されている点が相違する。他の構成要素は、ほぼ第一実施形態と同様としてある。
したがって、図６において、図１と同様の構成部分については同一の符号を付して、その詳細な説明を省略する。【００６２】
凸部１１´は、軸部１１２から外周方向へ突出しており、軸部１１２の周方向に等間隔で三つ設けられている。また、凸部１１´は、歯車部１１１の上面から離間した位置に形成されているので、針座１２０のそり上りを阻害しないので、針座１２０のばね力のばらつきを抑制する。
ここで、好ましくは、凸部１１´は、軸部１１２の長手方向に対応する端部に（本実施形態では、上端部に）、それぞれテーパ面１３´を設けるとよい。このようにすると、針座１２０を凸部１１´にスムースに挿入することができる。【００６３】
また、筒車１１０は、三個の凸部１１´に接する仮想円（図示せず）の直径が、円孔１２３の内径より大きく、かつ、軸部１１２の直径が、円孔１２３の内径より小さい構成としてある。すなわち、針座１２０が、凸部１１´を乗り越えて、凸部１１´と歯車部１１１の間に遊合する構成としてある。このようにすると、針座１２０が軸部１１２に遊合しており、針座１２０のそり上りを阻害しないので、針座１２０のばね力のばらつきが発生せず、筒車１１０の軸方向の移動を確実に抑制して針振れを軽減することができる。【００６４】
上記構成の指針表示式時計によれば、針座１２０が軸部１１２に遊合しており、針座１２０のそり上りを阻害しないので、針座１２０のばね力のばらつきが発生せず、筒車１１０の軸方向の移動を確実に抑制して針振れを軽減することができる。【００６５】
［第五実施形態］
以下、本発明の第五実施形態について、図面を参照して説明する。
図７は、本発明の第五実施形態にかかる指針表示式時計の要部の概略図であり、（ａ）は平面図を、（ｂ）はＦ−Ｆ断面図を示している。
同図において、本実施形態の指針表示式時計は、第一実施形態の指針表示式時計と比較して、凸部１１の代わりに、第一凸部１１ａ及び第二凸部１１ｂを設けた点が相違する。他の構成要素は、ほぼ第一実施形態と同様としてある。
したがって、図７において、図１と同様の構成部分については同一の符号を付して、その詳細な説明を省略する。【００６６】
第一凸部１１ａは、軸部１１２ａから外周方向へ突出しており、ほぼ第一実施形態の凸部１１と同様な構造としてある。また、第二凸部１１ｂは、第一凸部１１ａ表面からさらに突出するとともに、歯車部１１１から離間して設けられている。また、本実施形態では、第一凸部１１ａが、第二凸部１１ｂの下面から歯車部１１１の面上にかけて形成されており、これにより、第一凸部１１ａに対する第二凸部１１ｂの突出量を低減でき、第二凸部１１ｂを、成型金型を用いて製造することができ、すなわち、離型を容易かつ確実に行うことができ、製造原価のコストダウンを図ることができる。【００６７】
ここで、好ましくは、第一凸部１１ａ及び第二凸部１１ｂの上部に、テーパ部としてそれぞれテーパ面１３，１３ａを設けるとよい。このようにすると、針座１２０を第一凸部１１ａ及び第二凸部１１ｂにスムースに挿入することができ、針座１２０の取付けを容易に行うことができる。また、第二凸部１１ｂの下部に、斜面部１３ｂを設けるとよい。このようにすると、斜面部１３ｂによって、筒車１１０を射出成形したときに、成型金型から完成した筒車１１０を容易に離型させることができる。すなわち、凸部を第一凸部１１ａと第二凸部１１ｂの二段構造とすることにより、第一凸部１１ａに対する第二凸部１１ｂの高さを低くすることができ、成型金型が抜き易くなり成形性を向上させることができる。【００６８】
図８は、本発明の第五実施形態にかかる指針表示式時計の、凸部と針座の円孔との関係を説明するための概略拡大平面図を示している。
同図において、筒車１１０は、三個の第二凸部１１ｂに接する仮想円１５ｂの直径が、円孔１２３の内径より大きく、かつ、三個の第一凸部１１ａに接する仮想円１５ａの直径が、円孔１２３の内径より小さい構成としてある。すなわち、針座１２０が、第二凸部１１ｂを乗り越えて、第二凸部１１ｂと歯車部１１１の間の第一凸部１１ａに遊合する構成としてある。このようにすると、針座１２０の軸方向位置が、第二凸部１１ｂと歯車部１１１の間に規制され、針座１２０が筒車１１０から抜け落ちるといった不具合を確実に防止することができる。また、針座１２０を軸部１１２ａに挿入する際、凸部１１ａ，１１ｂを含まない軸部１１２ａと針座１２０の円孔１２３の隙間を大きくすることができるので、針座１２０をスムースに軸部１１２ａに挿入することができる。【００６９】
上記構成の指針表示式時計によれば、針座１２０が軸部１１２ａ（第一凸部１１ａ）に遊合しており、針座１２０のそり上りを阻害しないので、針座１２０のばね力のばらつきが発生せず、筒車１１０の軸方向の移動を確実に抑制して針振れを軽減することができる。【００７０】
以上、本発明の指針表示式時計について、好ましい実施形態を示して説明したが、本発明に係る指針表示式時計は、上述した実施形態にのみ限定されるものではなく、本発明の範囲で種々の変更実施が可能であることは言うまでもない。
例えば、第二及び第三実施形態において、軸部１１２に凸部１１が形成されていないが、軸部１１２に凸部１１を形成した構成としてもよく、このようにすると、針座１２０の位置決めをより確実に行うことができる。
【産業上の利用可能性】
【００７１】
以上説明したように、本発明の指針表示式時計は、組立が完了した指針表示式時計に限定されるものではなく、たとえば、組立途中の時計ムーブメントに対しても、有効に適用することができる。
【図１】
0004878408.tif 000002
【図２】
0004878408.tif 000003
【図３】
0004878408.tif 000004
【図４】
0004878408.tif 000005
【図５】
0004878408.tif 000006
【図６】
0004878408.tif 000007
【図７】
0004878408.tif 000008
【図８】
0004878408.tif 000009
【図９】
0004878408.tif 000010
【図１０】
0004878408.tif 000011
【図１１】
0004878408.tif 000012
【図１２】
0004878408.tif 000013